(57)【要約】【課題】ＢＷＢを介して給電するための電源ケーブルを筐体内にコンパクトに収容して、効率よく配線すると同時に、電源ケーブルで発生する熱の影響を抑制する。【解決手段】本発明の通信装置では、電子回路基板をＢＷＢ１と一体に収納する筐体２と、電源ケーブルを接続するためにＢＷＢ１の前面に配置した受電端子４と、受電端子４を配置したＢＷＢ１の前面との間で、所定の空隙を形成するように筐体２の側面を覆うカバー５とを備え、カバー５には、筐体２の上下方向位置のそれぞれに、空隙内に電源ケーブルを導入するための開口部６１，６２を形成した。したがって、同じラックにカバー５の上下方向位置の各開口部６１，６２を塞ぐような他の装置が混載されている場合でも、電源ケーブルをカバー遊端部分５１の第２の開口部６３から導入することによって、多数本の電源ケーブルをスマートに配線できる。【選択図】      図１
2004200343.tif 000002
【特許請求の範囲】
【請求項１】
複数枚の電子回路基板にバックワイヤリングボード（ＢＷＢ）を介して給電するように構成した通信装置において、
前記電子回路基板を前記ＢＷＢと一体に収納する筐体と、
電源ケーブルを接続するために前記ＢＷＢの前面に配置した受電端子と、
前記受電端子を配置した前記ＢＷＢの前面との間で、所定の空隙を形成するように前記筐体の側面を覆うカバーと、
を備え、前記カバーには、前記筐体の上下方向位置のそれぞれに、前記空隙内に前記電源ケーブルを導入するための開口部を形成したことを特徴とする通信装置。
【請求項２】
前記カバーは、前記筐体に側面部が軸支され、開閉自在に回動するように形成したことを特徴とする請求項１記載の通信装置。
【請求項３】
前記カバーには、第２の開口部が前記筐体の上下方向位置の各開口部とは別にカバー遊端部分に形成してあって、
前記第２の開口部から前記ＢＷＢとの間の空隙内に前記電源ケーブルを導入することを特徴とする請求項１記載の通信装置。
【請求項４】
前記開口部は、前記カバーの上下端面に設けた前記筐体側への折り返し面において、それぞれ対応する大きさで対応する形状に形成したものであり、
前記開口部から前記ＢＷＢとの間の空隙に導入した前記電源ケーブルに電流が流れるとき、前記空隙内で発生する熱を前記筐体の外部に放熱可能としたことを特徴とする請求項１記載の通信装置。
【請求項５】
複数枚の電子回路基板にバックワイヤリングボード（ＢＷＢ）を介して給電するように構成した通信装置であって、前記電子回路基板を前記ＢＷＢと一体に収納する筐体と、電源ケーブルを接続するために前記ＢＷＢの前面に配置した受電端子と、前記受電端子を配置した前記ＢＷＢの前面との間で、所定の空隙を形成するように前記筐体の側面を覆うカバーと、を備え、前記カバーには、前記筐体の上下方向位置のそれぞれに、前記空隙内に前記電源ケーブルを導入するための開口部を形成した通信装置を、
同一ラックの上下方向に多段に搭載する場合のケーブル誘導構造であって、当該通信装置の電源ケーブルは、一端を前記受電端子に接続し、他端を当該通信装置の上方に搭載した通信装置のカバーとＢＷＢとの間の空隙を通過して上方に誘導し、あるいは当該通信装置の下方に搭載した通信装置のカバーとＢＷＢとの間の空隙を通過して下方に誘導するようにした通信装置。
【発明の詳細な説明】
【０００１】
【発明の属する技術分野】
本発明は、複数枚の電子回路基板をバックワイヤリングボード（ＢＷＢ）に装着したものにより構成したラック搭載型の電子交換装置などのような通信装置に関し、特に、通信装置の電源ケーブルを効率よく布設し、その操作性の向上が可能なケーブル誘導構造に関する。
【０００２】
【従来の技術】
従来、ラック搭載型の電子交換装置などの通信装置には、複数枚の電子回路基板をＢＷＢに装着することにより構成されるものがある。このような通信装置では、電源ケーブルに対して特別な配線エリアを設けておらず、複数の通信装置をラックにより上下方向に複数台重ねて搭載した場合などでは、それぞれの装置の電源端子から多数の電源ケーブルが垂れ下がることになり、それらのケーブル処理については、特別なサポートがされていないことが多かった。
【０００３】
また、ラックに複数の通信装置を搭載したとき、ラックに付属するカバーが装置全体を覆うことによって防塵機能をもたせ、あるいはラックの柱にケーブル収容溝などを形成して、美観を確保するようにしたものがある。また、最近の交換機システムは、繊細な電子機器を多く使用しているため、電源ケーブルの周辺に生じる電気的ノイズに起因する障害から保護しなければならず、あるいは保守のために作業者が電源分配盤の扉を開放して内部の機器にアクセスする際、電源ケーブルに接触する危険性が無いよう、下記の特許文献１に示すように電源ケーブルを分配盤内でカバーなどで隠蔽していた。
【０００４】
こうしたラックやそのカバーは、複数台の通信装置を一台のラックにシステマチックに搭載した場合には、一定の効果を発揮する。ところが、規格の異なる異種類の通信装置をひとつのラックに搭載し、あるいは電源ユニットを通信装置と同じラックに配置した場合には、それぞれの装置ごとにケーブル引き出し位置が異なっていたり、引き出し方向が違ったりする。そのため、各装置から通信ケーブルや電源ケーブルを整線して引き出すとき、一般に、ラックやカバーにケーブルを整線するという役割を期待することができない。また、ケーブルを引き出す方向はラックに対して上下方向か、あるいは左右方向の一方向に限定されていたので、配置された電源ユニットがケーブルの引き出し方向を規定してしまう。
【０００５】
【特許文献１】
特開平５−７３７６号公報
【０００６】
【発明が解決しようとする課題】
このように、従来の通信装置をラックなどに搭載したとき、そこからケーブルを引き出そうとする方向に規格の異なる装置、例えば電源ユニット等が搭載されていた場合には、それらがケーブル誘導時に想定外の障害物となるために、ケーブルの効率的な接続を困難なものとしていた。
【０００７】
また、従来の通信装置では、それらを多段に搭載した場合を想定して、多数のケーブル配線をサポートするといった特別の機能を備えていなかったので、他の通信装置のケーブルとの混同が生じたり、特定の通信装置のケーブルがバラバラになったりすることによって、ケーブル接続における作業性を劣悪なものとしていた。
【０００８】
さらに、ケーブル配線の作業性を高める目的で、結束用のバンド等で複数のケーブルを束ねることがあるが、電源ケーブルのような大電流が流れるケーブルでは放熱性が悪化するために、電源ケーブルからの発熱により作業者に対して危険が及ぶという問題もあった。
【０００９】
本発明の目的は、ＢＷＢを介して給電するための電源ケーブルを筐体内にコンパクトに収容して、効率よく配線すると同時に、筐体内で発生する熱の影響を抑制できる通信装置を提供することにある。
【００１０】
【課題を解決するための手段】
本発明では、上記課題を解決するために、図１に示すように、複数枚の電子回路基板にバックワイヤリングボード１（ＢＷＢ１）を介して給電するように構成した通信装置において、前記電子回路基板を前記ＢＷＢ１と一体に収納する筐体２と、電源ケーブルを接続するために前記ＢＷＢ１の前面に配置した受電端子４と、前記受電端子４を配置した前記ＢＷＢ１の前面との間で、所定の空隙を形成するように前記筐体２の側面を覆うカバー５とを備え、前記カバー５には、前記筐体２の上下方向位置のそれぞれに、前記空隙内に前記電源ケーブルを導入するための開口部６１，６２を形成したことを特徴とする通信装置が提供できる。
【００１１】
ここで、カバー５は、前記筐体２の側面部に軸支され、開閉自在に回動するように形成されている。カバー５には、第２の開口部６３が前記筐体２の上下方向位置の各開口部６１，６２とは別にカバー遊端部分５１に形成してあって、前記第２の開口部６３から前記ＢＷＢ１との間の空隙内に前記電源ケーブルを導入することができる。
【００１２】
また、開口部６１，６２は、前記カバー５の上下端面に設けた前記筐体２側への折り返し面５ａ，５ｂにおいて、それぞれ対応する大きさで対応する形状に形成したものであり、前記開口部６１，６２から前記ＢＷＢ１との間の空隙に導入した前記電源ケーブルに電流が流れるとき、前記空隙内で発生する熱を前記筐体２の外部に放熱可能とした。さらに、ＢＷＢ１上の前記開口部６１，６２の近傍には、ケーブル保持用のホルダ７１，７２が設けてあって、前記ホルダ７１，７２により前記ＢＷＢ１との間の空隙内に導入される電源ケーブルを固定することができる。
【００１３】
この通信装置は、同じラックにカバー５の上下方向位置の各開口部６１，６２を塞ぐような他の装置が混載されている場合でも、電源ケーブルをカバー遊端部分５１の第２の開口部６３から導入することによって、多数本の電源ケーブルをスマートに配線できる。
【００１４】
また、この通信装置では、ケーブル保持用のホルダ７１，７２によって電源ケーブル３を固定するとともに、ＢＷＢ１とカバー５との間には十分な領域が配線エリアとして確保することによって、電源ケーブルの配線の際に、それらの操作性を向上できる。
【００１５】
さらに、ＢＷＢ１とカバー５との間の配線エリアは電源ケーブルを自然冷却するための十分な領域となるから、同様な構造を持つ通信装置を複数台、同一のラックに搭載した場合に、配線エリアが複数の通信装置を上下方向に貫通して、放熱ダクトを形成することによって、安全性を向上できる。
【００１６】
【発明の実施の形態】
以下、本発明の実施の形態について、図面を参照して説明する。
図１は、本発明の通信装置の外観を示す斜視図である。また、図２は、ＢＷＢの受電端子搭載面側から見たケーブル収容構造を示す筐体の正面図である。
【００１７】
この通信装置１０は、バックワイヤリングボード（ＢＷＢ）１に装着した複数枚の電子回路基板を筐体２の内部に一体に収容するものであって、筐体２の背面から各種の信号ケーブルを引き出し、前面から電源ケーブル３を引き出すような構成である。ＢＷＢ１上の正面右側には受電端子４が複数配置してあり、複数の電子回路基板への給電を行う電源ケーブル３を、それぞれの受電端子４にねじ止めなどで固定するようにしている。受電端子４には、それぞれ保護カバー４１，４２が被せられている。
【００１８】
片開き型のカバー５は、筐体２の受電端子４が配置された面を覆う回転扉として開閉可能な状態で筐体２に取り付けられている。このカバー５は、ＢＷＢ１との間で所定の空隙が形成され、その上下端面にはＢＷＢ１側への折り返し部５ａ，５ｂを備えている。そして、このカバー５の右側部が筐体２に対して回転軸となるように固定される。このカバー遊端部分５１には、カバー５を閉じた際にはロック機構となる一対の爪５１ａ，５１ｂを備え、カバー５を閉じた状態では、カバー５は筐体２から脱着不可能となるように構成されている。
【００１９】
また、このカバー５の折り返し部５ａ，５ｂには開口部６１，６２が形成されている。この開口部６１，６２は、空隙内に電源ケーブル３を導入するためのものであり、それぞれ受電端子４に対応する部分を除く幅であって、所定の奥行きをもった形状の切り欠き部をなしている。さらに、ＢＷＢ１上で空隙内に導入した電源ケーブル３を固定するために、これら開口部６１，６２の近傍にはケーブル保持用のホルダ７１，７２が筐体２にかかり止めされている。これらのホルダ７１，７２は、筐体２の上下方向のそれぞれに４ユニットのケーブルホルダから構成されていて、図２にカバー５を取り外した状態で示すように、受電端子４と接続した７本の電源ケーブル３が一組となって、下部のホルダ７１のうちの１ユニットに収容されることによって整線される。
【００２０】
さらに、このカバー５には、上下方向位置の各開口部６１，６２とは別に、カバー遊端部分５１に第２の開口部６３が形成してある。この第２の開口部６３は、後に説明するように、通信装置１０に対してその上下いずれの方向からも電源ケーブル３の導入が困難な場合に使用するもので、横方向からＢＷＢ１との間の空隙内に電源ケーブル３を導入することができる。筐体２の正面左側には吸気パネル８が設けられ、そこから内部の電子回路基板の冷却を行うために空気を導入しており、ここから導入された空気を筐体２の背面から排気するために、筐体２内部の右側端部にはファン機構が装着されている。吸気パネル８の上部には、第２の開口部６３に対応する形状で、電源ケーブル３を側面方向へ引き出すためのケーブルダクト９が筐体２に形成されている。吸気パネル８のカバー５側には、爪５１ａ，５１ｂを受け入れて所定の力で把持するロック機構の受け部を備えている。
【００２１】
なお、カバー５には、その軸支部分となる引っ掛け孔（図示せず）があって、この引っ掛け孔を筐体２側から突起する板バネ２ａ，２ｂと嵌合することによって、カバー５を筐体２に片開き型の扉として保持することができ、カバー５自体を筐体２から容易に脱着可能な構造としている。また、筐体２の背面には、図１に示すように信号ケーブルを保持するための保持金具２１を取り付けてある。さらに、筐体２の左右側面には、この通信装置１０を後述するラックに載せて固定するための固定金具２２，２３を取り付けてある。
【００２２】
図３は、図１の通信装置のカバーを開けた状態で、筐体前面部分を上方から見た断面図である。
図１の通信装置１０では、ＢＷＢ１に実装した受電端子４に接続された電源ケーブル３が複数本単位で整線されている。これらの電源ケーブル３は、別の通信装置の電源ケーブル３１，３２，３３などとともに、ホルダ７１の４ユニットのケーブルホルダにそれぞれ収容して、開口部６１から下方に誘導される。電源ケーブル３１〜３３は、ホルダ７１，７２にそれぞれ収容され、カバー５の開口部６１及び６２を通過して、通信装置１０の上方から下方へと誘導することができる。
【００２３】
図４は、図１の通信装置のカバーを閉じた状態で、筐体前面部分を下方から見た断面図である。
カバー５は、その開口部６１，６２からＢＷＢ１との間の空隙に導入した電源ケーブル３、あるいは別の通信装置の電源ケーブル３１，３２，３３に大電流が流れ、空隙内で熱が発生した場合でも、その熱は開口部６１，６２から確実に筐体２の外部に放熱できる。
【００２４】
図５は、複数の通信装置を上下に多段に搭載したラックの構成を示す正面図である。各通信装置１０は、それぞれカバー５を外した状態で示している。
この図５に示すように、同様の構造を持つ通信装置１０をラック２０の多段のシェルフ２０ａ，２０ｂ，２０ｃ…に搭載した場合には、下方へと導かれた電源ケーブル３は、その通信装置２０の下段シェルフに搭載された装置では、そのカバー５の上部の開口部６２から導入される。電源ケーブル３は、ＢＷＢ１のケーブル領域を通過するとき、上下のケーブルホルダ（図示せず）に収容されて位置決めされ、さらに下の通信装置へと誘導される。最終的には、電源ケーブル３はラック２０の下面から床下の配線スペースを経由して、ラック２０の外部にある電力供給装置（局電源）と接続される。
【００２５】
図６は、図１の通信装置と他の装置とが混在するラックの構成を示す正面図である。
通信装置１０は、図６に示すように、ラック２０に形状の異なる装置３０と混在して搭載するとき、他段のシェルフに搭載された装置３０が開口部６１，６２を塞いでしまうことがある。そのような場合には、カバー５の上下方向から電源ケーブル３を引き出し、装置３０内に電源ケーブル３を通過させることが不可能となる。そこで、いったん通信装置１０のケーブルダクト９から第２の開口部６３を利用して横方向へ電源ケーブル３を誘導する。その後に、例えばラック２０に形成されたケーブル収容溝などによりラック２０の設置面まで誘導することによって、その後は図５の場合と同様に、床下の配線スペースを経て局電源に接続できる。
【００２６】
なお、図５、図６の場合に、ラック２０の上方に電源ケーブル３を誘導し、天井裏を経由して外部に配置した局電源と接続することも可能である。
このように、電源ケーブル３を引き出す方向を上下方向だけでなく、左右方向にも可能とする構造であれば、同一のラック２０にどのような装置と混載しても、電源ケーブル３の整線に問題が生じないばかりか、電源ケーブル３の効率よい配線が可能となる。したがって、通信装置１０をラック２０に搭載するときに、従来から非常に煩雑な作業となっていた電源ケーブル３の取扱いが、大幅に改善できる。また、電源ケーブル３をＢＷＢ１から引き出して局電源に接続するとき、カバー５の裏側の空隙において自然冷却するようにしたので、電源ケーブル３の温度が極端にまで上昇することがなくなり、通信装置１０の動作上の安全性が高まる。一方、電源ケーブル３自体も耐熱性が低いものを使用しても問題がなくなるため、電源ケーブル３の低コスト化を実現することができる。
【００２７】
（付記１）  複数枚の電子回路基板にバックワイヤリングボード（ＢＷＢ）を介して給電するように構成した通信装置において、前記電子回路基板を前記ＢＷＢと一体に収納する筐体と、電源ケーブルを接続するために前記ＢＷＢの前面に配置した受電端子と、前記受電端子を配置した前記ＢＷＢの前面との間で、所定の空隙を形成するように前記筐体の側面を覆うカバーと、を備え、前記カバーには、前記筐体の上下方向位置のそれぞれに、前記空隙内に前記電源ケーブルを導入するための開口部を形成したことを特徴とする通信装置。
【００２８】
（付記２）  前記カバーは、前記筐体に側面部が軸支され、開閉自在に回動するように形成したことを特徴とする付記１記載の通信装置。
（付記３）  前記カバーには、第２の開口部が前記筐体の上下方向位置の各開口部とは別にカバー遊端部分に形成してあって、前記第２の開口部から前記ＢＷＢとの間の空隙内に前記電源ケーブルを導入することを特徴とする付記１記載の通信装置。
【００２９】
（付記４）  前記開口部は、前記カバーの上下端面に設けた前記筐体側への折り返し面において、それぞれ対応する大きさで対応する形状に形成したものであり、前記開口部から前記ＢＷＢとの間の空隙に導入した前記電源ケーブルに電流が流れるとき、前記空隙内で発生する熱を前記筐体の外部に放熱可能としたことを特徴とする付記１記載の通信装置。
【００３０】
（付記５）  前記ＢＷＢ上の前記開口部の近傍には、ケーブル保持用のホルダが設けてあって、前記ホルダにより前記ＢＷＢとの間の空隙内に導入される電源ケーブルを固定することを特徴とする付記１記載の通信装置。
【００３１】
（付記６）  複数枚の電子回路基板にバックワイヤリングボード（ＢＷＢ）を介して給電するように構成した通信装置であって、前記電子回路基板を前記ＢＷＢと一体に収納する筐体と、電源ケーブルを接続するために前記ＢＷＢの前面に配置した受電端子と、前記受電端子を配置した前記ＢＷＢの前面との間で、所定の空隙を形成するように前記筐体の側面を覆うカバーと、を備え、前記カバーには、前記筐体の上下方向位置のそれぞれに、前記空隙内に前記電源ケーブルを導入するための開口部を形成した通信装置を、
同一ラックの上下方向に多段に搭載する場合のケーブル誘導構造であって、当該通信装置の電源ケーブルは、一端を前記受電端子に接続し、他端を当該通信装置の上方に搭載した通信装置のカバーとＢＷＢとの間の空隙を通過して上方に誘導し、あるいは当該通信装置の下方に搭載した通信装置のカバーとＢＷＢとの間の空隙を通過して下方に誘導するようにした通信装置。
【００３２】
【発明の効果】
以上に説明したように、本発明の通信装置によれば、電源ケーブルを装置内部にコンパクトに収容し、かつ効率よく配線することができる。また、電源ケーブルに大電流が流れることでカバー内部に発生する熱をラック外部へ放熱することができる。
【図面の簡単な説明】
【図１】本発明の通信装置の外観を示す斜視図である。
【図２】ＢＷＢの受電端子搭載面側から見たケーブル収容構造を示す筐体の正面図である。
【図３】図１の通信装置のカバーを開いた状態で、筐体前面部分を上方から見た断面図である。
【図４】図１の通信装置のカバーを閉じた状態で、筐体前面部分を下方から見た断面図である。
【図５】複数の通信装置を上下に多段に搭載したラックの構成を示す正面図である。
【図６】図１の通信装置と他の装置とが混在するラックの構成を示す正面図である。
【符号の説明】
１  バックワイヤリングボード（ＢＷＢ）
２  筐体
３  電源ケーブル
４  受電端子
５  カバー
６１，６２  開口部
６３  第２の開口部
７１，７２  ホルダ
８  吸気パネル
９  ケーブルダクト
２０  ラック
２０ａ〜２０ｂ  シェルフ
１０  通信装置
【図１】
2004200343.tif 000003
【図２】
2004200343.tif 000004
【図３】
2004200343.tif 000005
【図４】
2004200343.tif 000006
【図５】
2004200343.tif 000007
【図６】
2004200343.tif 000008